(57)【特許請求の範囲】
【請求項１】
発信機及び応答表示灯を設けた防災装置に於いて、
前記発信機に、
装置前面の取付穴に保持された透明な保護板と、
前記取付穴の背後に配置され、透明又は半透明としたスイッチ操作部の内部に前記応答表示灯を設けた押し釦スイッチと、
前記スイッチ操作部の外側に装着された透光性の防水キャップと、
を設け、
前記押し釦スイッチは、前記保護板を保持解除し、前記防水キャップを介して前記スイッチ操作部を押し込むことでオン操作され、
前記応答表示灯は、前記押し釦スイッチのオン操作により通常状態とは異なる表示状態に切替えて表示駆動されることを特徴とする防災装置。
【請求項２】
発信機及び応答表示灯を設けた防災装置に於いて、
前記発信機に、
透明な保護板と、
前記保護板を装置前面の取付穴に保持し、前記応答表示灯を背後に配置する透光性の枠部材と、
前記取付穴の背後に配置され、スイッチ操作部を備えた押し釦スイッチと、
前記スイッチ操作部及び応答表示灯の外側に装着された防水キャップと、
を設け、
前記押し釦スイッチは、保持解除された保護板及び前記防水キャップを介して前記スイッチ操作部を押し込むことでオン操作され、
前記応答表示灯は、前記押し釦スイッチのオン操作により通常状態とは異なる表示状態に切替えて表示駆動され、前記枠部材をライトガイドとして光らせることを特徴とする防災装置。
【請求項３】
請求項１又は２記載の防災装置に於いて、前記応答表示灯を、前記押し釦スイッチのオン操作により外部に送信した信号に対する応答信号及び外部の感知器による発報信号に応じて通常状態とは異なる表示状態に切替えて表示駆動することを特徴とする防災装置。
【発明の詳細な説明】
【技術分野】
【０００１】
本発明は、消火栓装置等の発信機を備える防災装置に関する。
【背景技術】
【０００２】
従来、高速道路や自動車専用道路などのトンネルに設置されるトンネル消火栓装置は、開放自在な消火栓扉を備えた筐体内に、ノズル付きホースとバルブ類を収納し、また、開閉自在な消火器扉を備えた消火器収納部に例えば２本の消火器を収納し、更に、通報装置扉が設けられ、ここに赤色表示灯、発信機、及び応答表示灯を設けている。
【０００３】
通報装置扉の赤色表示灯は常時点灯し、消火栓装置の設置場所が遠方から分かるようにしている。火災時には、発信機を押して押し釦スイッチをオン操作すると、発信信号が監視室の火災受信機に送信されて火災警報が出され、これに伴い応答信号が火災受信機から送られて、応答表示灯を点灯し、発信機からの信号が外部の受信機に送信されたことを認識できるようにしている。
【先行技術文献】
【特許文献】
【０００４】
【特許文献１】特開２００３−３１０７８５号公報
【発明の概要】
【発明が解決しようとする課題】
【０００５】
しかしながら、このような従来の赤色表示灯、発信機、及び応答表示灯を設けたトンネル用防災装置にあっては、赤色表示灯、発信機、及び応答表示灯のそれぞれの関連性が一般の利用者には判りづらいという問題がある。即ち、発信機を操作すると応答表示灯が点灯するという関連性があっても、発信機とは別の位置にある応答表示灯が点灯するという関連性が判りづらく、応答表示灯が点灯していても、発信機のスイッチ操作を念のため何回も繰り返すといった混乱した操作を招く恐れがある。この問題は、ビル等に設置される発信機にもあてはまり、発信機の操作が確実にされたか認識が判りづらい。
【０００６】
また、近年の発信機は小型化されて応答表示灯と外観が似ており、暗いトンネルの中に設置された場合に、どちらが発信機なのか識別がしづらいという問題もある。
【０００７】
本発明は、発信機の認識性を向上して、一般の人にも容易に扱え、更に、発信機操作が正しく行われたことが明確に分かるようにする防災装置を提供することを目的とする。
【課題を解決するための手段】
【０００８】
本発明は、発信機及び応答表示灯を設けた防災装置に於いて、
発信機に、
装置前面の取付穴に保持された透明な保護板と、
取付穴の背後に配置され、透明又は半透明としたスイッチ操作部の内部に応答表示灯を設けた押し釦スイッチと、
スイッチ操作部の外側に装着された透光性の防水キャップと、
を設け、
押し釦スイッチは、保護板を保持解除し、防水キャップを介してスイッチ操作部を押し込むことでオン操作され、
応答表示灯は、押し釦スイッチのオン操作により通常状態とは異なる表示状態に切替えて表示駆動されることを特徴とする。
【０００９】
また本発明の別の形態にあっては、発信機及び応答表示灯を設けた防災装置に於いて、
発信機に、
透明な保護板と、
保護板を装置前面の取付穴に保持し、応答表示灯を背後に配置する透光性の枠部材と、
取付穴の背後に配置され、スイッチ操作部を備えた押し釦スイッチと、
スイッチ操作部及び応答表示灯の外側に装着された防水キャップと、
を設け、
押し釦スイッチは、保持解除された保護板及び防水キャップを介してスイッチ操作部を押し込むことでオン操作され、
応答表示灯は、押し釦スイッチのオン操作により通常状態とは異なる表示状態に切替えて表示駆動され、枠部材をライトガイドとして光らせることを特徴とする。
【００１１】
また、応答表示灯を、押し釦スイッチのオン操作により外部に送信した信号に対する応答信号及び外部の感知器による発報信号に応じて通常状態とは異なる表示状態に切替えて表示駆動しても良い。
【発明の効果】
【００１２】
本発明によれば、発信機に応答表示灯が内蔵されたことで、例えばトンネル消火栓装置の場合、装置前面には、設置場所を示す赤色表示灯と発信機だけが設けられ、応答表示灯は装置前面には設けられないため、発信機を他の表示灯と見誤るようなことはなく、発信機の認識性を大きく向上することができる。
【００１３】
また発信機を操作すると内蔵した応答表示灯が例えば通常状態の消灯から点灯に切り替わり、発信機と応答表示灯の関連性が必然的に判り、発信機を操作したことによる内蔵した応答表示灯の点灯、即ち発信機自体の操作に伴う応答表示により、発信機操作が正しく行われたことを明確に確認することができ、操作性を大きく向上することができる。
【図面の簡単な説明】
【００１４】
【図１】本発明によるトンネル消火栓装置の実施形態を示した説明図
【図２】本発明による発信機構造の実施形態を断面で示した説明図
【図３】図２の実施形態における保護板の取付け構造を正面から示した説明図
【図４】本発明による発信機構造の他の実施形態を断面で示した説明図
【図５】図４の発信機操作部分を取り出して示した組立分解図
【図６】図５の枠部材を取り出して示した説明図
【図７】図６（Ａ）のＸ−Ｘ断面を示した断面図
【図８】保護板を押し込んでスイッチ操作した状態を示した断面図
【図９】本発明による発信機構造の他の実施形態を示した説明図
【発明を実施するための形態】
【００１５】
図１は本発明が適用されるトンネル用防災装置として消火栓装置を示した正面図である。図１において、消火栓装置１０は、消火栓側の筐体１２−１と消火器側の筐体１２−２に分割した構造であり、前面に化粧板１４−１，１４−２を装着しており、筐体１２−１、１２−２に対し必要な機器及び部材を組付けた後に連結固定部１５で固定した状態とし、この状態でトンネル現場に搬入して架台１１上に設置している。
【００１６】
化粧板１４−１，１４−２には扉開口部１６，１７が設けられている。筐体１２−１の扉開口部１６は上下に２分割され、下側扉開口部に消火栓扉１８を配置し、上側扉開口部に保守扉２２を配置しており、その内部がホース収納空間及びバルブ類収納空間となっている。
【００１７】
消火栓扉１８は、扉開口部１６に対し下側の軸となるヒンジ２１を中心に下向きに開閉自在に設けられており、マグネットと受け板を用いた下扉ロック機構５６により閉止位置に閉じている。消火栓扉１８は、ハンドル２０を手前に引いて下扉ロック機構５６の磁気吸着によるロックを外すことで前方に開閉することができる。
【００１８】
消火栓扉１８の上には上向きに開閉する保守扉２２が設けられており、マグネットと受け板を用いた上扉ロック機構５４により閉止位置に閉じられており、点検時に消火栓扉１８を開いた後に保守扉の下端を前方に引っ張ることで開くことができる。また、筐体１２−１の上部両側には装置を吊り下げるための吊り輪２５が取り付けられている。
【００１９】
筐体１２−２の扉開口部１７の右側には通報装置扉２４が設けられ、ここに赤色表示灯２６および発信機２８を設けており、従来のように通報装置扉２４に応答表示灯は設けられておらず、後の説明で明らかにするように、応答表示灯は発信機２８に内蔵されている。
【００２０】
赤色表示灯２６は常時点灯し、消火栓装置１０の設置場所が遠方から分かるようにしている。火災時には、発信機２８を押して押し釦スイッチをオンすると、発信信号が監視室の火災受信機に送信されて火災警報が出され、これに伴い応答信号が火災受信機から送られて、内蔵した応答表示灯を点灯するようにしている。
【００２１】
扉開口部１７の左側には消火器扉３２が設けられ、消火器扉３２に対応した筐体１２−２の内部を消火器収納空間とし、例えば２本の消火器を収納している。消火器扉３２にはハンドル３４が設けられ、ハンドル３４を手前に引くとラッチが外れ、消火器扉３２は左側をヒンジとして前方に開くことができる。また、消火器扉３４の下側には覗き窓３５が設けられ、外部から消火器の収納状態の有無を確認できるようにしている。
【００２２】
筐体１２−１の内部には、ポンプ設備からの配管が接続される消火栓接続口、消火時に弁開放して放水を行う消火栓弁などのバルブ類等を介して、ホースが巻かれて収納されるホース収納空間が形成されている。ホースの先端にはノズルが装着されている。
【００２３】
保守扉２２は、消火栓装置の保守以外には通常閉じられており、消火作業時も閉められたままで消火栓扉１８のみ開放され、筐体１２−１内に収納されたノズルを取り出し、消火栓弁を開放し、ホースを引き出すことで消火作業を行う。
【００２４】
図２は本発明による発信機構造の実施形態を断面で示した説明図である。図２において、発信機２８は通報装置扉２４に設けた取付穴７２の前面に有機ガラス板などを用いた円盤状の保護板７６を取付穴７２と同軸に配置し、保護板７６は上部の偏心位置に設けた軸穴７９に軸部材７８を通して通報装置扉２４側に支持することで、取付穴７２に対し保護板７６を偏心回転できるようにしている。
【００２５】
図３は図２の保護板の取付構造を正面から示した説明図である。図３において、通報装置扉２４に設けた取付穴７２に対し、その前面に同一中心を持って保護板７６が配置され、保護板７６は上部の偏心位置を軸部材７８により回動自在に支持している。
【００２６】
保護板７６は、通常時は偏心位置を軸支した軸部材７８に対し、自重で図示の取付穴７２を閉鎖する位置に保持されている。発信機２８を操作する際には、保護板７６を例えば保護板７６ａ，７６ｂに示すように横に回すことで取付穴７２を開き、内部に指を入れて、防水キャップ８６を介して、背後に設けた押し釦スイッチのスイッチノブを直接、指で押すことになる。
【００２７】
再び図２を参照するに、保護板７６を軸部材７８により偏心回転自在に設けた取付穴７２の背後には、取付部材７４によって押し釦スイッチ８０が配置される。押し釦スイッチ８０は前方にスイッチノブ８２を突出しており、スイッチノブ８２は透明もしくは半透明な透光性の部材で形成され、その内部にＬＥＤなどを用いた応答表示灯８４を配置している。
【００２８】
スイッチノブ８２の外側には防水キャップ８６が装着されており、防水キャップ８６としては透光性のシリコンゴムを使うことで、応答表示灯８４からの光が外部から見えるようにしている。
【００２９】
押し釦スイッチ８０の後方には端子８８により複数本の信号線９０が接続されており、端子８８及び信号線９０を含めて防水カバー９２が装着されている。
【００３０】
このような図２及び図３に示した発信機構造の実施形態にあっては、発信機を操作する際には、保護板７６を横にずらして偏心回転させることで取付穴７２を開き、取付穴７２から内部に指を入れて防水キャップ８６を介してスイッチノブ８２を押し込むことで、押し釦スイッチ８０をオン操作する。
【００３１】
押し釦スイッチ８０がオン操作されると、信号線９０により発信信号が外部の火災受信機に送信され、火災受信機で火災警報が出されると同時に応答信号が返送され、これによってスイッチノブ８２の中に配置している応答表示灯８４を点灯する。
【００３２】
応答表示灯８４が点灯すると、その光はスイッチノブ８２及び防水キャップ８６を介して外部から見ることができ、スイッチノブ８２の押込みによるスイッチ操作に対応して応答表示灯８４が発信機２８自体で点灯して表示することで、スイッチ操作により発信信号が送られたことが発信機２８自体で確認できる。
【００３３】
ここで押し釦８０に内蔵した応答表示灯８４の表示駆動としては、スイッチ操作を行った際に通常状態とは異なる表示状態に切り替わるように表示駆動する。例えば通常状態で点灯の場合は、スイッチ操作で点灯、点滅あるいは明滅の表示状態に切り替える。また通常状態で応答表示灯８４を点灯状態としていてもよく、この場合にはスイッチ操作に伴い応答表示灯８４を点滅または明滅させればよい。
【００３４】
更に火災感知器と連動した応答表示灯８４の表示駆動も可能であり、この場合には通常状態では消灯、火災検知器の発報時には点滅、更には押し釦スイッチ８０の操作時には点灯といった表示駆動に切り替える。
【００３５】
図４は本発明による発信機構造の他の実施形態を断面で示した説明図である。図４において、本実施形態の発信機２８は通報装置扉２４に設けた取付穴７２の背後に取付部材７４によって押し釦スイッチ８０を配置しており、押し釦スイッチ８０は前部にスイッチノブ８２を突出して、その外側に防水キャップ８６を装着しており、また後方に端子８８に接続した複数本の信号線９０を引き出しており、この後方部分についても防水カバー９２を装着している。
【００３６】
一方、取付穴７２に対しては、ゴム材料で作られた枠部材９４によって有機ガラス板などを用いた保護板９６を保持している。
【００３７】
図５は図４の発信機操作部分を取り出して示した組立分解図である。図５において、通報装置扉２４の取付穴７２に対しては、透光性のゴム材料で作られた枠部材９４が装着される。枠部材９４は中央に操作穴９５を開口したリング状の部材であり、操作穴９５の裏面側の４箇所に分けてストッパ部９８を形成し、ストッパ部９８に対応した操作穴９５の内周部分に抜止め部１００を形成している。保護板９６は枠部材９４の抜止め部１００とストッパ部９８の間に挟まれて枠部材９４に設置される。
【００３８】
図６は図５の枠部材９４を取り出して示した説明図であり、図６（Ａ）に正面、図６（Ｂ）に側面、図６（Ｃ）に背面を示している。
図６において、枠部材９４には図５に示した保護板９６よりわずかに径の大きい操作穴９５が形成され、操作穴９５の背後に４箇所に分けて、中心側に張り出したストッパ部９８を一体に形成している。ストッパ部９８に対応した操作穴９５の内周には、ストッパ部９８に対し円周方向の幅及び突出量を小さくした抜止め部１００が一体に形成されている。
【００３９】
図７は図６（Ａ）のＸ−Ｘ断面を示した断面図であり、枠部材９４の操作穴９５の裏面側にはストッパ部９８が一体に形成され、操作穴９５の内周には抜止め部１００が一体に形成されている。
【００４０】
ここでストッパ部９８の保護板の押込みに対する変形強度に対し、抜止め部１００の変形強度を小さくしている。このため前面側から保護板９６を押し込むと、抜止め部１００を変形して保護板９６が押し込まれ、ストッパ部９８に当たることで、ストッパ部９８と抜止め部１００の間にワンタッチで組込み保持することができる。
【００４１】
再び図４を参照するに、枠部材９４としてはゴム材料で作られているが、更に背後からの光を入射して全体に光ることのできるライトガイドとしての機能を備えており、このようなライトガイドとして機能させるためには例えばシリコンゴムなどの透光性のゴムを使用すればよい。
【００４２】
枠部材９４の背後にはリング状にライトガイド８５が配置されており、ライトガイド８５の下側の部分に応答表示灯８４を配置している。なお防水キャップ８６は、スイッチノブ８２の周囲を覆うと同時に、応答表示灯８４を収納したライトガイド８５の部分も覆って防水を行っている。
【００４３】
図８は図４の実施形態について保護板を押し込んでスイッチ操作した状態を示した断面図である。図８において、枠部材９４に保持されている保護板９６を矢印で示すように外側から押し込むと、ストッパ部９８が変形し、枠部材９４から保護板９６が図示のように外れ、防水キャップ８６に当たり、防水キャップ８６を変形して更に押し込むとスイッチノブ８２に当たり、スイッチノブ８２を押し込んで押し釦スイッチ８０をオン操作することができる。
【００４４】
押し釦スイッチ８０をオン操作すると、信号線９０により発信信号が外部の火災受信機に送られ、火災受信機で火災警報を出力すると同時に応答信号が返送され、これによって応答表示灯８４を例えば点灯する。点灯した応答表示灯８４からの光は、ライトガイド８５を通って透光性ゴム材料で作られた枠部材９４の背後から入射し、これによって枠部材９４全体が光るようになり、押し釦スイッチ８０の操作に対する確認表示が行われる。
【００４５】
応答表示灯８４の表示駆動としては、通常状態とは異なる表示状態に駆動すればよく、通常状態が消灯であれば、押し釦スイッチ８０の操作で点灯、点滅または明滅の表示状態に切り替えればよい。
【００４６】
また通常状態で応答表示灯８４を常時、点灯状態とすることによって、枠部材９４全体をリング状に光らせ、これによって暗いトンネルの中であっても発信機２８の位置を明確に認識できるように表示することができる。通常状態で応答表示灯８４を点灯していた場合には、押し釦スイッチ８０のオン操作に伴い応答表示灯８４を点滅または明滅させる表示状態に切り替えればよい。
【００４７】
応答表示灯８４の光はライトガイドを利用して枠部材９４全体を光らせているが、これに限らず、操作穴９５の内側が光るようにしても良い。保護板を押した際にライトガイドと接触して配置することで、保護板９６が光るようにしても良い。
【００４８】
図９は本発明による発信機構造の他の実施形態を断面で示した説明図であり、図９（Ａ）に通常状態を示し、図９（Ｂ）に押し釦スイッチを操作した状態を示している。
【００４９】
図９（Ａ）において、通報装置扉２４に設けた取付穴７２の背後にはカバー１０２とカバー１０４が固定ネジに対するナットにより取付固定されている。カバー１０２には嵌合穴１１０が設けられ、ここに枠部材１０６の外周側から裏面に向けて突出した嵌合爪１０８を嵌合し、枠部材１０６をカバー１０２に取り付けている。
【００５０】
枠部材１０６の内周側には、裏面側に向けて係止爪１１２が円周方向の複数個所に分かれて形成されている。この係止爪１１２に対しては有機ガラス板などを用いた保護板９６が装着されている。
【００５１】
カバー１０４に対しては押し釦スイッチ８０が取り付けられている。押し釦スイッチ８０は前方にスイッチノブ８２を突出し、スイッチノブ８２の内部に応答表示灯８４を設けている。またスイッチノブ８２の外側には防水キャップ８６が装着されている。スイッチノブ８２は透明または半透明なプラスチック材料で形成され、更に防水キャップ８６は透光性のあるシリコンゴムなどを使用している。
【００５２】
押し釦スイッチ８０の後方には端子８８により信号線９０が接続され、この後方についても防水カバー９２が装着されている。
【００５３】
図９（Ｂ）は矢印で示すように、保護板９６を押し込んで押し釦スイッチ８０を操作した状態である。図９（Ａ）に示す枠部材１０６の係止爪１１２に保持された保護板９６を押し込むと、所定の力を超えたときに保護板９６が係止爪１１２から外れて内部に入り、防水キャップ８６を介してスイッチノブ８２を押し込むことで押し釦スイッチ８０がオン操作される。
【００５４】
押し釦スイッチ８０がオン操作されると、発信信号が信号線９０により外部の火災受信機に送られ、火災警報が出されると同時に応答信号が送り返されてくる。この応答信号により応答表示灯８４が点灯し、応答表示灯８４の点灯による光はスイッチノブ８２及び防水キャップ８６を背光照明し、取付穴７２を介して外部から応答表示灯８４の点灯状態を見ることができ、押し釦スイッチ操作の確認表示として認識できる。
【００５５】
この図９の実施形態にあっても、通常状態で応答表示灯８４が消灯の場合は、スイッチオン操作で応答表示灯８４を点灯、点滅または明滅させればよい。また通常状態で応答表示灯８４を点灯している場合には、スイッチオン操作で応答表示灯８４を点滅または明滅に表示駆動すればよい。
【００５６】
図９（Ｂ）のように、押し釦スイッチ８０のオン操作のために押し込んで内部に抜け落ちた保護板９６は、本実施形態の場合には枠部材１０６をカバー１０２から外して内側から保護板９６を係止爪１１２に装着した後に取付穴７２のカバー１０２に嵌合爪１０８により装着することで、通常状態に復旧させることになる。
【００５７】
なお、上記の実施形態にあっては、押し釦スイッチ８０のオン操作で外部の火災受信機に発信信号を送り、火災受信機から応答信号が送られてくることで、応答表示灯８４の表示を切り替えているが、押し釦スイッチ８０のオン操作で直ちに応答表示灯８４の表示動作を切り替えるようにしてもよい。
【００５８】
また応答表示灯８４の表示切替えとして、通常状態の表示、押し釦スイッチをオン操作したときの表示、更に外部の火災受信機から確認信号を受信したときの表示の３段階の表示切替えを行うようにしてもよい。
【００５９】
また上記の実施形態はトンネルに設置される消火栓装置に設けた発信機を例に取るものであったが、本発明はこれに限定されず、装置の設置場所を示す赤色表示灯と共に発信機を配置する装置であれば、適宜の防災装置にそのまま適用することができる。
【００６０】
また本発明はその目的と利点を損なうことのない適宜の変形を含み、更に上記の実施形態に示した数値による限定は受けない。
【符号の説明】
【００６１】
２８：発信機
７２：取付穴
７４：取付部材
７６，９６：保護板
８２：スイッチノブ
８４：応答表示灯
８５：ライトガイド
８６：防水キャップ
９２：防水カバー
９４：枠部材
９８：ストッパ部
１００：抜止め部
１０１：取付溝
１０２、１０４：カバー
１０６：枠部材
１０８：嵌合爪
１１０：嵌合穴
１１２：係止爪
【図１】
0005622375.tif 000002
【図２】
0005622375.tif 000003
【図３】
0005622375.tif 000004
【図４】
0005622375.tif 000005
【図５】
0005622375.tif 000006
【図６】
0005622375.tif 000007
【図７】
0005622375.tif 000008
【図８】
0005622375.tif 000009
【図９】
0005622375.tif 000010